(57)【要約】【課題】  部品点数を削減するとともに製造性及び作業性の向上を図ることが可能なジョイントコネクタ構造を提供する。【解決手段】  第一コネクタ１１は、ジョイント用バスバー１４を第一ハウジング１３に設けるとともに、端子収容室２１に電線付き第一雌端子１５を差し込んでジョイント用バスバー１４の対応するタブ２４に電線付き第一雌端子１５を接続することにより形成される。第二コネクタ１２は、第二ハウジング３０の端子収容室３２に電線付き第二雌端子３１を差し込むことにより形成される。第一コネクタ１１及び第二コネクタ１２は、コネクタ嵌合部１６に第二コネクタ１２を差し込んでコネクタ同士の嵌合を図ると、ジョイント用バスバー１４のタブ２３に第二コネクタ１２の対応する電線付き第二雌端子３１が接続される。【選択図】    図１
2005346940.tif 000002
【特許請求の範囲】
【請求項１】
第一コネクタは、一端が第一ハウジングのコネクタ嵌合部に突出し他端が前記第一ハウジングの端子収容室に突出する複数のタブを有するジョイント用バスバーを前記第一ハウジングに設けるとともに、前記端子収容室に電線付き第一雌端子を差し込んで対応する前記他端のタブに前記電線付き第一雌端子を接続することにより形成され、
第二コネクタは、第二ハウジングの端子収容室に電線付き第二雌端子を差し込むことにより形成され、
前記第一コネクタ及び前記第二コネクタは、前記コネクタ嵌合部に前記第二コネクタを差し込んでコネクタ同士の嵌合を図ると、前記第一コネクタの前記一端のタブに前記第二コネクタの対応する前記電線付き第二雌端子が接続される
ことを特徴とするジョイントコネクタ構造。
【請求項２】
請求項１に記載のジョイントコネクタ構造において、
前記電線付き第一雌端子及び前記電線付き第二雌端子にそれぞれ防水用のゴム栓を設けるとともに、前記コネクタ嵌合部にパッキンを設ける
ことを特徴とするジョイントコネクタ構造。
【発明の詳細な説明】
【技術分野】
【０００１】
本発明は、所望の電線同士をコネクタを用いてジョイントするジョイントコネクタ構造に関する。
【背景技術】
【０００２】
従来のジョイントコネクタ構造をしては、下記特許文献１に開示された技術が知られている。図４及び図５において、下記特許文献１のジョイントコネクタ構造は、電線付き第一雌端子１を複数有する第一コネクタ２と、電線付き第二雌端子３を複数有する第二コネクタ４と、第一コネクタ２、第二コネクタ４の各々を対向する方向から嵌め込んで電線付き第一雌端子１及び電線付き第二雌端子３を連結する共通端子５を有する共通コネクタ６とを備え、電線付き第一雌端子１同士、電線付き第二雌端子３同士、及び電線付き第一雌端子１と電線付き第二雌端子３との間が共通端子５を介して導通する構造に構成されている。
【特許文献１】特開平１１−５４２２９号公報  （第３頁、第１−２図）
【発明の開示】
【発明が解決しようとする課題】
【０００３】
ところで、上記従来技術にあっては、第一コネクタ２、第二コネクタ４、及び共通コネクタ６の三つのコネクタで構成されていることから、製造工程や部品点数が多く、また、ジョイントの際においては、第一コネクタ２と共通コネクタ６との嵌合接続、及び第二コネクタ４と共通コネクタ６との嵌合接続が必要になっている。
【０００４】
本発明は、上述した事情に鑑みてなされたもので、部品点数を削減するとともに製造性及び作業性の向上を図ることが可能なジョイントコネクタ構造を提供することを課題とする。
【課題を解決するための手段】
【０００５】
上記課題を解決するためになされた請求項１記載の本発明のジョイントコネクタ構造は、第一コネクタは、一端が第一ハウジングのコネクタ嵌合部に突出し他端が前記第一ハウジングの端子収容室に突出する複数のタブを有するジョイント用バスバーを前記第一ハウジングに設けるとともに、前記端子収容室に電線付き第一雌端子を差し込んで対応する前記他端のタブに前記電線付き第一雌端子を接続することにより形成され、第二コネクタは、第二ハウジングの端子収容室に電線付き第二雌端子を差し込むことにより形成され、前記第一コネクタ及び前記第二コネクタは、前記コネクタ嵌合部に前記第二コネクタを差し込んでコネクタ同士の嵌合を図ると、前記第一コネクタの前記一端のタブに前記第二コネクタの対応する前記電線付き第二雌端子が接続されることを特徴としている。
【０００６】
このような特徴を有する本発明によれば、ワイヤハーネスの所望の電線同士のジョイントが二つのコネクタによって行われる。本発明では、第一コネクタ、第二コネクタのうち、第一コネクタがコネクタとしての機能とジョイントコネクタとしての機能の両方を兼ね備える。第一コネクタと第二コネクタとの嵌合操作が行われると、電線付き第一雌端子同士のジョイント、電線付き第二雌端子同士のジョイント、及び電線付き第一雌端子と電線付き第二雌端子との間のジョイントが完了する。
【０００７】
請求項２記載の本発明のジョイントコネクタ構造は、請求項１に記載のジョイントコネクタ構造において、前記電線付き第一雌端子及び前記電線付き第二雌端子にそれぞれ防水用のゴム栓を設けるとともに、前記コネクタ嵌合部にパッキンを設けることを特徴としている。
【０００８】
このような特徴を有する本発明によれば、防水構造が付加されたジョイントコネクタ構造になる。
【発明の効果】
【０００９】
請求項１に記載された本発明によれば、従来よりも部品点数を削減するとともに製造性及び作業性も向上させるジョイントコネクタ構造を提供することができるという効果を奏する。
【００１０】
請求項２に記載された本発明によれば、防水性のあるジョイントコネクタ構造にすることができるという効果を奏する。
【発明を実施するための最良の形態】
【００１１】
以下、図面を参照しながら説明する。
図１は本発明のジョイントコネクタ構造の一実施の形態を示す図であり、（ａ）はコネクタ嵌合状態の断面図、（ｂ）はコネクタ嵌合前の断面図である。また、図２は第一コネクタの構成説明図、図３は第二コネクタの構成説明図である。
【００１２】
図１ないし図３において、本発明のジョイントコネクタ構造は、第一コネクタ１１と第二コネクタ１２の二つのコネクタによって実現されている。以下、各構成部材について説明する。
【００１３】
上記第一コネクタ１１は、絶縁性を有する合成樹脂製の第一ハウジング１３と、導電性を有する金属製のジョイント用バスバー１４と、複数の電線付き第一雌端子１５とを備えて構成されている。第一コネクタ１１は、コネクタとしての機能とジョイントコネクタとしての機能の両方を兼ね備えている。
【００１４】
第一ハウジング１３には、箱形のコネクタ嵌合部１６が形成されている。そのコネクタ嵌合部１６は、第一ハウジング１３の前面を開口させるような形状に形成されており、複数の側壁１７と奥壁１８と嵌合空間１９とを有している。コネクタ嵌合部１６は、第二コネクタ１２が嵌合する部分として形成されている。コネクタ嵌合部１６には、特に図示しないが第二コネクタ１２を係止するための第一ロック部が形成されている。また、コネクタ嵌合部１６には、パッキン３９が設けられている。パッキン３９は、第一コネクタ１１に防水構造を付加する部材であって、嵌合空間１９側の側壁１７と奥壁１８の境界に設けられている。防水構造を付加する必要がない場合には、パッキン３９の設定は不要である。
【００１５】
このようなコネクタ嵌合部１６には、端子収容部２０が連成されている。端子収容部２０は、第一ハウジング１３の奥壁１８から後方に突出するような箱形の形状に形成されている。端子収容部２０には、複数の端子収容室２１が形成されている。その複数の端子収容室２１は、横一列に並ぶように配置形成されている。各端子収容室２１は、電線付き第一雌端子１５を差し込むことができるような形状に形成されている。各端子収容室２１には、電線付き第一雌端子１５を係止するためのランス２２が形成されている。
【００１６】
ジョイント用バスバー１４は、コネクタ嵌合部１６の嵌合空間１９に突出する複数のタブ２３と、端子収容部２０の各端子収容室２１に突出する複数のタブ２４と、これらのタブ２３及び２４を連結する帯板状の連結部２５とを有している。このようなジョイント用バスバー１４は、少なくとも連結部２５の部分が第一ハウジング１３の奥壁１８に固定されるようになっている。その固定方法としては、抜け止め用の突起を設けて奥壁１８に圧入したりする方法が一例として挙げられる。
【００１７】
電線付き第一雌端子１５は、図示しないワイヤハーネスを構成する電線２６と、その電線２６の端末に接続される雌端子２７とを備えて構成されている。雌端子２７は、電線２６を接続するための電線接続部と、箱形の電気接触部とを有している。電気接触部には、ジョイント用バスバー１４のタブ２４に接触する弾性接触片が形成されている。また、電気接触部には、第一ハウジング１３のランス２２を引っ掛けるための凹部が形成されている。
【００１８】
本形態における電線付き第一雌端子１５は、ゴム栓２８を有している。そのゴム栓２８は、第一コネクタ１１に防水構造を付加する部材であって、外部から端子収容室２１内に水分が浸入しないようになっている。防水構造を付加する必要がない場合には、ゴム栓２８の設定は不要である。
【００１９】
電線付き第一雌端子１５は、第一ハウジング１３の後面に開口する端子差し込み用の開口部２９を介して端子収容室２１に差し込まれ、そして、端子収容室２１に差し込まれた後には、ランス２２により係止されるようになっている。
【００２０】
上記第二コネクタ１２は、絶縁性を有する合成樹脂製の第二ハウジング３０と、複数の電線付き第二雌端子３１とを備えて構成されている。第二ハウジング３０は、第一ハウジング１３のコネクタ嵌合部１６に差し込まれる箱形の形状に形成されている。このような第二ハウジング３０の外部には、第一ハウジング１３の第一ロック部に係止される第二ロック部（図示省略）が形成されている。また、第二ハウジング３０の内部には、複数の端子収容室３２が形成されている。
【００２１】
複数の端子収容室３２は、横一列に並ぶように配置形成されている。各端子収容室３２は、電線付き第二雌端子３１を差し込むことができるような形状に形成されている。各端子収容室３２には、電線付き第二雌端子３１を係止するためのランス３３が形成されている。
【００２２】
電線付き第二雌端子３１は、図示しないワイヤハーネスを構成する電線３４と、その電線３４の端末に接続される雌端子３５とを備えて構成されている。雌端子３５は、電線３４を接続するための電線接続部と、箱形の電気接触部とを有している。電気接触部には、ジョイント用バスバー１４のタブ２３に接触する弾性接触片が形成されている。また、電気接触部には、第二ハウジング３０のランス３３を引っ掛けるための凹部が形成されている。電線付き第二雌端子３１は、特に限定するものではないが、本形態において、電線付き第一雌端子１５と同じものが用いられている。
【００２３】
本形態における電線付き第二雌端子３１は、ゴム栓３６を有している。そのゴム栓３６は、第二コネクタ１２に防水構造を付加する部材であって、外部から端子収容室３２内に水分が浸入しないようになっている。防水構造を付加する必要がない場合には、ゴム栓３６の設定は不要である。
【００２４】
電線付き第二雌端子３１は、第二ハウジング３０の後面に開口する端子差し込み用の開口部３７を介して端子収容室３２に差し込まれ、そして、端子収容室３２に差し込まれた後には、ランス３３により係止されるようになっている。端子収容室３２に収容された電線付き第二雌端子３１には、第二ハウジング３０の前面に開口する開口部３８を介して第一コネクタ１１のタブ２３が差し込まれるようになっている。
【００２５】
上記構成において、第一コネクタ１１は、第一ハウジング１３にジョイント用バスバー１４を設けた状態で電線付き第一雌端子１５を対応する端子収容室２１に収容することにより形成される。電線付き第一雌端子１５が端子収容室２１に収容されると、その電線付き第一雌端子１５は、上述の如く、ランス２２により係止される。また、端子収容室２１に収容された電線付き第一雌端子１５には、ジョイント用バスバー１４のタブ２４が差し込まれる。これにより、電線付き第一雌端子１５同士のジョイントが完了する。
【００２６】
一方、第二コネクタ１２は、電線付き第二雌端子３１を対応する第二ハウジング３０の端子収容室３２収容することにより形成される。電線付き第二雌端子３１が端子収容室３２に収容されると、その電線付き第二雌端子３１は、上述の如く、ランス３３により係止される。
【００２７】
このように形成された第一コネクタ１１と第二コネクタ１２とを対向させ、その後、第一コネクタ１１のコネクタ嵌合部１６に第二コネクタ１２を差し込んでコネクタ同士の嵌合を図ると、第一コネクタ１１におけるジョイント用バスバー１４のタブ２３に第二コネクタ１２の対応する電線付き第二雌端子３１が接続されるとともに、第一ハウジング１３の第一ロック部と第二ハウジング３０の第二ロック部とが引っ掛かり合う。これにより、電線付き第二雌端子３１同士のジョイント、及び電線付き第一雌端子１５と電線付き第二雌端子３１との間のジョイントが完了するとともに、一連の作業が完了する。
【００２８】
以上、図１ないし図３を参照しながら説明してきたように、本発明のジョイントコネクタ構造によれば、ワイヤハーネスの所望の電線同士のジョイントを二つのコネクタによって行うことができる。従って、従来よりも部品点数を削減するとともに、製造性及び作業性も向上させることができる。
【００２９】
その他、本発明は本発明の主旨を変えない範囲で種々変更実施可能なことは勿論である。すなわち、上述では端子の配列を横一列のみで説明したが、これに限らず、上述の配列を上下に並べるような構造としてもよいものとする。
【図面の簡単な説明】
【００３０】
【図１】本発明のジョイントコネクタ構造の一実施の形態を示す図であり、（ａ）はコネクタ嵌合状態の断面図、（ｂ）はコネクタ嵌合前の断面図である。
【図２】第一コネクタの構成説明図である。
【図３】第二コネクタの構成説明図である。
【図４】従来例のジョイントコネクタ構造を示す分解斜視図である。
【図５】図４のジョイントコネクタ構造の断面図である。
【符号の説明】
【００３１】
１１  第一コネクタ
１２  第二コネクタ
１３  第一ハウジング
１４  ジョイント用バスバー
１５  電線付き第一雌端子
１６  コネクタ嵌合部
１７  側壁
１８  奥壁
１９  嵌合空間
２０  端子収容部
２１  端子収容室
２２  ランス
２３  タブ（一端のタブ）
２４  タブ（他端のタブ）
２５  連結部
２６  電線
２７  雌端子
２８  ゴム栓
２９  開口部
３０  第二ハウジング
３１  電線付き第二雌端子
３２  端子収容室
３３  ランス
３４  電線
３５  雌端子
３６  ゴム栓
３７、３８  開口部
３９  パッキン
【図１】
2005346940.tif 000003
【図２】
2005346940.tif 000004
【図３】
2005346940.tif 000005
【図４】
2005346940.tif 000006
【図５】
2005346940.tif 000007